(57)【要約】      （修正有）【課題】  載置部の昇降中における車椅子の動きを規制できる車両用昇降装置の提供。【解決手段】  地面上またはその近くの下降位置と車両の床面と同じ高さまたはほぼ同じ高さの上昇位置とに載置部を車両に対して昇降操作自在な昇降操作手段と、載置部に載置された車椅子をその載置部に対して位置決め保持する保持状態とその位置決め保持を解除する解除状態とに切換自在な保持手段と、昇降指令に基づいて、昇降操作手段を作動させる昇降制御を実行する制御手段と、保持手段が保持状態であるか否かを検出する保持状態検出手段４７が設けられ、制御手段は、保持状態検出手段４７が保持状態を検出しているときには、昇降指令に基づいて昇降制御を実行し、かつ、保持状態検出手段４７が保持状態を検出していないときには、昇降指令に拘わらず昇降制御を実行しないように構成されている。【選択図】図１１
2006304866.tif 000002
【特許請求の範囲】
【請求項１】
地面上またはその近くの下降位置と車両の床面と同じ高さまたはほぼ同じ高さの上昇位置とに載置部を前記車両に対して昇降操作自在な昇降操作手段と、
前記載置部に載置された車椅子をその載置部に対して位置決め保持する保持状態とその位置決め保持を解除する解除状態とに切換自在な保持手段と、
昇降指令に基づいて、前記昇降操作手段を作動させる昇降制御を実行する制御手段とが設けられている車両用昇降装置であって、
前記保持手段が保持状態であるか否かを検出する保持状態検出手段が設けられ、
前記制御手段は、前記保持状態検出手段が保持状態を検出しているときには、前記昇降指令に基づいて前記昇降制御を実行し、かつ、前記保持状態検出手段が保持状態を検出していないときには、前記昇降指令に拘わらず前記昇降制御を実行しないように構成されている車両用昇降装置。
【請求項２】
前記載置部に前記車椅子が載置されている載置状態か否かを検出する車椅子検出手段が設けられ、
前記制御手段は、前記車椅子検出手段が載置状態を検出しているときには、前記保持状態検出手段が保持状態を検出していると前記昇降指令に基づいて前記昇降制御を実行しかつ前記保持状態検出手段が保持状態を検出していないと前記昇降指令に拘わらず前記昇降制御を実行しないように構成され、かつ、前記車椅子検出手段が載置状態を検出していないときには、前記保持状態検出手段が保持状態を検出していなくても、前記昇降指令に基づいて前記昇降制御を実行するように構成されている請求項１に記載の車両用昇降装置。
【請求項３】
前記載置部に載置された車椅子に着座する搭乗者をその車椅子に保持させるシートベルト装置と、そのシートベルト装置が装着状態であるか否かを検出するベルト装着状態検出手段とが設けられ、
前記制御手段は、前記車椅子検出手段が載置状態を検出しているときには、前記保持状態検出手段が保持状態を検出しおよび前記ベルト装着状態検出手段が装着状態を検出していると、前記昇降指令に基づいて前記昇降制御を実行し、かつ、前記保持状態検出手段が保持状態を検出していないあるいは前記ベルト装着状態検出手段が装着状態を検出していないと、前記昇降指令に拘わらず前記昇降制御を実行しないように構成され、かつ、前記車椅子検出手段にて載置状態を検出していないときには、前記保持状態検出手段が保持状態を検出していないおよび前記ベルト装着状態検出手段が装着状態を検出していなくても、前記昇降指令に基づいて前記昇降制御を実行するように構成されている請求項２に記載の車両用昇降装置。
【請求項４】
前記保持手段が、
前記車椅子に引掛け自在なフック体が先端部に設けられた索状体と、この索状体を巻き取る方向と引き出す方向とに回転自在な回転ドラムと、この回転ドラムを巻き取る方向に回転操作して前記保持状態に操作する保持操作状態と前記索状体の引き出し操作を許容するように前記回転ドラムの回転を許容する回転許容状態とに切換自在なドラム操作手段とから構成され、
前記保持状態検出手段が、前記回転ドラムから前記索状体が設定量以上引き出されている状態を前記保持状態として検出するように構成されている請求項１〜３のいずれか一項に記載の車両用昇降装置。
【請求項５】
前記保持手段が、
前記車椅子に引掛け自在なフック体が先端部に設けられた索状体と、この索状体を巻き取る方向と引き出す方向とに回転自在な回転ドラムと、この回転ドラムを巻き取る方向に回転操作して前記保持状態に操作する保持操作状態と前記索状体の引き出し操作を許容するように前記回転ドラムの回転を許容する回転許容状態とに切換自在なドラム操作手段とから構成され、
前記ドラム操作手段が、
前記回転許容状態に対応する解除位置と前記保持操作状態に対応する保持位置とに直線的に往復移動自在で、前記解除位置から前記保持位置への移動にて前記回転ドラムを巻き取り方向に操作して前記保持操作状態に操作しかつ前記保持位置から前記解除位置への移動にて前記回転ドラムを引き出し方向に操作したのち前記回転許容状態にする往復移動体と、この往復移動体を前記保持位置と前記解除位置との間で往復移動操作する往復操作手段とから構成され、
前記往復操作手段が、
前記往復移動体を前記保持位置に移動操作する保持用回転位置と前記往復移動体を前記解除位置に移動操作する解除用回転位置とに駆動モータにて回転駆動される回転アームと、この回転アームの先端部に設けられて前記往復移動体の被係合溝に係合する係合ピンとから構成され、
前記被係合溝が、
前記解除用回転位置から前記往復移動体の往復移動方向に対して傾斜する状態で延びる傾斜溝部と、この傾斜溝部に連なり前記往復移動体の往復移動方向に対して直交する状態で延びて前記保持用回転位置に至る直交溝部とから構成され、
前記保持状態検出手段が、前記回転アームが前記保持用回転位置に位置する状態を前記保持状態として検出するように構成されている請求項１〜３のいずれか一項に記載の車両用昇降装置。
【請求項６】
前記保持手段が、
前記車椅子に引掛け自在なフック体が先端部に設けられた索状体と、この索状体を巻き取る方向と引き出す方向とに回転自在な回転ドラムと、この回転ドラムを巻き取る方向に回転操作して前記保持状態に操作する保持操作状態と前記索状体の引き出し操作を許容するように前記回転ドラムの回転を許容する回転許容状態とに切換自在なドラム操作手段とから構成され、
前記ドラム操作手段が、
前記回転許容状態に対応する解除位置と前記保持操作状態に対応する保持位置とに直線的に往復移動自在で、前記解除位置から前記保持位置への移動にて前記回転ドラムを巻き取り方向に操作して前記保持操作状態に操作しかつ前記保持位置から前記解除位置への移動にて前記回転ドラムを引き出し方向に操作したのち前記回転許容状態にする往復移動体と、この往復移動体を前記保持位置と前記解除位置との間で往復移動操作する往復操作手段とから構成され、
前記往復操作手段が、
前記往復移動体を前記保持位置に移動操作する保持用回転位置と前記往復移動体を前記解除位置に移動操作する解除用回転位置とに駆動モータにて回転駆動される回転アームと、この回転アームの先端部に設けられて前記往復移動体の被係合溝に係合する係合ピンとから構成され、
前記被係合溝が、
前記解除用回転位置から前記往復移動体の往復移動方向に対して傾斜する状態で延びる傾斜溝部と、この傾斜溝部に連なり前記往復移動体の往復移動方向に対して直交する状態で延びて前記保持用回転位置に至る直交溝部とから構成され、
前記駆動モータが、
前記往復移動体の往復移動方向に沿って移動自在で弾性付勢手段にて前記保持位置側に付勢された状態で、かつ、前記回転アームを前記解除用回転位置から前記保持用回転位置へ回転駆動させるときに前記往復移動体の往復移動方向の前記解除位置側への被押圧力を受ける状態で設けられ、
前記保持状態検出手段が、前記駆動モータが前記往復移動体の往復移動方向の前記解除位置側に設定量以上移動している状態を前記保持状態として検出するように構成されている請求項１〜３のいずれか一項に記載の車両用昇降装置。
【請求項７】
前記保持手段が、
前記車椅子に引掛け自在なフック体が先端部に設けられた索状体と、この索状体を巻き取る方向と引き出す方向とに回転自在な回転ドラムと、この回転ドラムを巻き取る方向に回転操作して前記保持状態に操作する保持操作状態と前記索状体の引き出し操作を許容するように前記回転ドラムの回転を許容する回転許容状態とに切換自在なドラム操作手段とから構成され、
前記ドラム操作手段が、
前記回転許容状態に対応する解除位置と前記保持操作状態に対応する保持位置とに直線的に往復移動自在で、前記解除位置から前記保持位置への移動にて前記回転ドラムを巻き取り方向に操作して前記保持操作状態に操作しかつ前記保持位置から前記解除位置への移動にて前記回転ドラムを引き出し方向に操作したのち前記回転許容状態にする往復移動体と、この往復移動体を前記保持位置と前記解除位置との間で往復移動操作する往復操作手段とから構成され、
前記往復操作手段が、
前記往復移動体を前記保持位置に移動操作する保持用回転位置と前記往復移動体を前記解除位置に移動操作する解除用回転位置とに駆動モータにて回転駆動される回転アームと、この回転アームの先端部に設けられて前記往復移動体の被係合溝に係合する係合ピンとから構成され、
前記被係合溝が、
前記解除用回転位置から前記往復移動体の往復移動方向に対して傾斜する状態で延びる傾斜溝部と、この傾斜溝部に連なり前記往復移動体の往復移動方向に対して直交する状態で延びて前記保持用回転位置に至る直交溝部とから構成され、
前記駆動モータが、
前記往復移動体の往復移動方向に沿って移動自在で弾性付勢手段にて前記保持位置側に付勢された状態で、かつ、前記回転アームを前記解除用回転位置から前記保持用回転位置へ回転駆動させるときに前記往復移動体の往復移動方向の前記解除位置側への被押圧力を受ける状態で設けられ、
前記保持状態検出手段が、前記回転ドラムから前記索状体が設定量以上引き出されている状態、前記回転アームが前記保持用回転位置に位置する状態、前記駆動モータが前記往復移動体の往復移動方向の前記解除位置側に設定量以上移動している状態の三つの状態のうち、少なくとも二つの状態が満たされていると前記保持状態として検出するように構成されている請求項１〜３のいずれか一項に記載の車両用昇降装置。
【発明の詳細な説明】
【技術分野】
【０００１】
本発明は、地面上またはその近くの下降位置と車両の床面と同じ高さまたはほぼ同じ高さの上昇位置とに載置部を前記車両に対して昇降操作自在な昇降操作手段と、前記載置部に載置された車椅子をその載置部に対して位置決め保持する保持状態とその位置決め保持を解除する解除状態とに切換自在な保持手段と、昇降指令に基づいて、前記昇降操作手段を作動させる昇降制御を実行する制御手段とが設けられている車両用昇降装置に関する。
【背景技術】
【０００２】
上記のような車両用昇降装置は、搭乗者が車椅子に着座したまま、その車椅子を載置した載置部を上昇位置から下降位置に下降させるあるいは下降位置から上昇位置まで上昇させることにより、車両と地面との間で車椅子を移載させるものである。
このような車両用昇降装置では、車椅子が載置部から外方に移動するのを受け止め阻止する受け止め体が設けられ、この受け止め体により昇降中に載置部から外方に車椅子が移動するのを阻止している。
しかし、車椅子を載置部に載置させるだけでは、車両を坂道に止めるなどして、載置部が傾斜していると、載置部の昇降中に車椅子が動いてしまう虞がある。したがって、例えば、車椅子に着座している搭乗者に不安感を与えてしまう、あるいは、車椅子が受け止め体に当っても車椅子が載置部から外方に移動するのを受け止め阻止できるように受け止め体の強度を強固にする必要などが生じる。
【０００３】
そこで、従来の車両用昇降装置では、載置部に載置される車椅子をその載置部に対して位置決め保持する保持状態とその位置決め保持を解除する解除状態とに切換自在な人為操作式の保持手段を設け、載置部の昇降中には保持手段を保持状態とすることにより、載置部の昇降中における車椅子の動きを規制している（例えば、特許文献１参照。）。
この従来の車両用昇降装置では、載置部を昇降させる際に、まず、介護者などの人為操作により保持手段を保持状態とし、その後、昇降操作部のボタンを押し操作するなどして昇降指令を指令し、昇降操作手段を作動させて載置部を昇降させるようにしている。
【０００４】
【特許文献１】特開２００３−２０４９９５号公報
【発明の開示】
【発明が解決しようとする課題】
【０００５】
このような車両用昇降装置では、載置部の昇降中における車椅子の動きを規制するために、昇降指令を指令するのに先立って、保持手段を保持状態とすることが必要である。
しかしながら、例えば、保持手段を保持状態とするように操作したにもかかわらず、誤作動などによって実際には保持手段が保持状態となっていない場合や、誤操作などによって保持手段を保持状態とする前に昇降指令を指令してしまう場合であり、このような場合には、載置部の昇降中における車椅子の動きを規制できない虞がある。
【０００６】
本発明は、かかる点に着目してなされたものであり、その目的は、載置部の昇降中における車椅子の動きを規制できる車両用昇降装置を提供する点にある。
【課題を解決するための手段】
【０００７】
この目的を達成するために、本発明にかかる車両用昇降装置の第１特徴構成は、地面上またはその近くの下降位置と車両の床面と同じ高さまたはほぼ同じ高さの上昇位置とに載置部を前記車両に対して昇降操作自在な昇降操作手段と、前記載置部に載置された車椅子をその載置部に対して位置決め保持する保持状態とその位置決め保持を解除する解除状態とに切換自在な保持手段と、昇降指令に基づいて、前記昇降操作手段を作動させる昇降制御を実行する制御手段とが設けられている車両用昇降装置において、
前記保持手段が保持状態であるか否かを検出する保持状態検出手段が設けられ、前記制御手段は、前記保持状態検出手段が保持状態を検出しているときには、前記昇降指令に基づいて前記昇降制御を実行し、かつ、前記保持状態検出手段が保持状態を検出していないときには、前記昇降指令に拘わらず前記昇降制御を実行しないように構成されている点にある。
【０００８】
すなわち、制御手段は、保持状態検出手段が保持状態を検出しているときには、昇降指令に基づいて昇降制御を実行するので、保持手段を保持状態としたことが確認できると載置部を昇降させることができる。
そして、制御手段は、保持状態検出手段が保持状態を検出していないときには、昇降指令に拘わらず昇降制御を実行しないので、保持手段を保持状態としたことが確認できないと載置部を昇降させない。
【０００９】
このようにして、保持手段を保持状態としたことが確認できたときだけ昇降部を昇降させることができるので、載置部の昇降中における車椅子の動きを規制できる車両用昇降装置を提供できるに至った。
【００１０】
本発明にかかる車両用昇降装置の第２特徴構成は、前記載置部に前記車椅子が載置されている載置状態か否かを検出する車椅子検出手段が設けられ、前記制御手段は、前記車椅子検出手段が載置状態を検出しているときには、前記保持状態検出手段が保持状態を検出していると前記昇降指令に基づいて前記昇降制御を実行しかつ前記保持状態検出手段が保持状態を検出していないと前記昇降指令に拘わらず前記昇降制御を実行しないように構成され、かつ、前記車椅子検出手段が載置状態を検出していないときには、前記保持状態検出手段が保持状態を検出していなくても、前記昇降指令に基づいて前記昇降制御を実行するように構成されている点にある。
【００１１】
すなわち、制御手段が、車椅子検出手段が載置状態を検出しているときには、保持状態検出手段が保持状態を検出していると昇降指令に基づいて昇降制御を実行しかつ保持状態検出手段が保持状態を検出していないと昇降指令に拘わらず昇降制御を実行しないので、載置部に車椅子が載置しているときには、保持手段を保持状態としたことが確認できたときだけ昇降部を昇降させることができる。
そして、制御手段が、車椅子検出手段が載置状態を検出していないときには、保持状態検出手段が保持状態を検出していなくても、昇降指令に基づいて昇降制御を実行するので、載置部に車椅子が載置されていないときには、保持手段の状態に拘わらず、昇降指令に基づいて載置部を昇降させることができる。
【００１２】
したがって、載置部の昇降中における車椅子の動きを規制しながら、載置部に車椅子が載置されていないときでも、必要に応じて載置部を昇降させることができる。
【００１３】
本発明にかかる車両用昇降装置の第３特徴構成は、前記載置部に載置された車椅子に着座する搭乗者をその車椅子に保持させるシートベルト装置と、そのシートベルト装置が装着状態であるか否かを検出するベルト装着状態検出手段とが設けられ、
前記制御手段は、前記車椅子検出手段が載置状態を検出しているときには、前記保持状態検出手段が保持状態を検出しおよび前記ベルト装着状態検出手段が装着状態を検出していると、前記昇降指令に基づいて前記昇降制御を実行し、かつ、前記保持状態検出手段が保持状態を検出していないあるいは前記ベルト装着状態検出手段が装着状態を検出していないと、前記昇降指令に拘わらず前記昇降制御を実行しないように構成され、かつ、前記車椅子検出手段にて載置状態を検出していないときには、前記保持状態検出手段が保持状態を検出していないおよび前記ベルト装着状態検出手段が装着状態を検出していなくても、前記昇降指令に基づいて前記昇降制御を実行するように構成されている点にある。
【００１４】
すなわち、制御手段が、車椅子検出手段が載置状態を検出しているときには、保持状態検出手段が保持状態を検出しおよびベルト装着状態検出手段が装着状態を検出していると、昇降指令に基づいて昇降制御を実行し、保持状態検出手段が保持状態を検出していないあるいはベルト装着状態検出手段が装着状態を検出していないと、昇降指令に拘わらず前記昇降制御を実行しないので、載置部に車椅子が載置しているときには、保持手段を保持状態としたことが確認でき、さらに、シートベルト装置を装着状態としたことも確認できたときだけ、載置部を昇降することができる。
そして、制御手段が、車椅子検出手段にて載置状態を検出していないときには、保持状態検出手段が保持状態を検出していないおよびベルト装着状態検出手段が装着状態を検出していなくても、昇降指令に基づいて昇降制御を実行するので、載置部に車椅子が載置されていないときには、保持手段およびシートベルト装置の状態に拘わらず、昇降指令に基づいて載置部を昇降させることができる。
【００１５】
したがって、載置部の昇降中における車椅子の動きを規制しながら、載置部に車椅子が載置されていないときでも、必要に応じて載置部を昇降させることができる。
【００１６】
本発明にかかる車両用昇降装置の第４特徴構成は、前記保持手段が、前記車椅子に引掛け自在なフック体が先端部に設けられた索状体と、この索状体を巻き取る方向と引き出す方向とに回転自在な回転ドラムと、この回転ドラムを巻き取る方向に回転操作して前記保持状態に操作する保持操作状態と前記索状体の引き出し操作を許容するように前記回転ドラムの回転を許容する回転許容状態とに切換自在なドラム操作手段とから構成され、
前記保持状態検出手段が、前記回転ドラムから前記索状体が設定量以上引き出されている状態を前記保持状態として検出するように構成されている点にある。
【００１７】
すなわち、ドラム操作手段を回転許容状態に切り換えると、索状体の引き出し操作を許容するように回転ドラムの回転を許容するので、回転ドラムから索状体を引き出すあるいは回転ドラムにて索状体を巻き取ることが自由に行え、保持手段を解除状態とすることができる。この回転許容状態において、回転ドラムから索状体を引き出してフック体を車椅子に引掛けたのち、ドラム操作手段を回転許容状態から保持操作状態に切り換えると、回転ドラムを巻き取る方向に回転操作して保持装置を保持状態とすることができる。
このようにして、回転ドラムから索状体を引き出してフック体を車椅子に引掛けたのち、ドラム操作手段を保持操作状態に切り換えるだけで、容易な操作によって車椅子を載置部に対して位置保持することができる。
【００１８】
そして、保持手段を保持状態としたときには、回転ドラムから索状体を設定量以上引き出してフック体を車椅子に引掛けているので、保持状態検出手段が、回転ドラムから索状体が設定量以上引き出されている状態を検出することにより保持状態を的確に検出することができる。したがって、保持手段を保持状態としたことを的確に確認することができる。
【００１９】
本発明にかかる車両用昇降装置の第５特徴構成は、前記保持手段が、前記車椅子に引掛け自在なフック体が先端部に設けられた索状体と、この索状体を巻き取る方向と引き出す方向とに回転自在な回転ドラムと、この回転ドラムを巻き取る方向に回転操作して前記保持状態に操作する保持操作状態と前記索状体の引き出し操作を許容するように前記回転ドラムの回転を許容する回転許容状態とに切換自在なドラム操作手段とから構成され、
前記ドラム操作手段が、前記回転許容状態に対応する解除位置と前記保持操作状態に対応する保持位置とに直線的に往復移動自在で、前記解除位置から前記保持位置への移動にて前記回転ドラムを巻き取り方向に操作して前記保持操作状態に操作しかつ前記保持位置から前記解除位置への移動にて前記回転ドラムを引き出し方向に操作したのち前記回転許容状態にする往復移動体と、この往復移動体を前記保持位置と前記解除位置との間で往復移動操作する往復操作手段とから構成され、
前記往復操作手段が、前記往復移動体を前記保持位置に移動操作する保持用回転位置と前記往復移動体を前記解除位置に移動操作する解除用回転位置とに駆動モータにて回転駆動される回転アームと、この回転アームの先端部に設けられて前記往復移動体の被係合溝に係合する係合ピンとから構成され、
前記被係合溝が、前記解除用回転位置から前記往復移動体の往復移動方向に対して傾斜する状態で延びる傾斜溝部と、この傾斜溝部に連なり前記往復移動体の往復移動方向に対して直交する状態で延びて前記保持用回転位置に至る直交溝部とから構成され、
前記保持状態検出手段が、前記回転アームが前記保持用回転位置に位置する状態を前記保持状態として検出するように構成されている点にある。
【００２０】
すなわち、ドラム操作手段を回転許容状態から保持操作状態に切り換えるときには、駆動モータを駆動させて解除用回転位置から保持用回転位置まで回転アームを回転駆動させる。このとき、回転アームの係合ピンは、解除用回転位置から被係合溝の傾斜溝部を摺動し、傾斜溝部から直交溝部に移行したのち、保持用回転位置まで直交溝部を摺動する。
【００２１】
係合ピンが傾斜溝部を摺動するときには、係合ピンが往復移動体を保持位置側に押圧操作するので、この押圧操作により往復移動体が解除位置から保持位置側へ移動操作される。係合ピンが傾斜溝部から直交溝部に移行すると、係合ピンの押圧操作によって往復移動体が保持位置まで移動操作される。往復移動体は、解除位置から保持位置への移動にて回転ドラムを巻き取り方向に操作する。
係合ピンが保持用回転位置に至ると、駆動モータの駆動が停止されるので、直交溝部が往復移動体の往復移動方向での係合ピンの動きを規制する。このように係合ピンの動きを規制することにより、往復移動体が保持位置に位置決め保持されて保持操作状態とすることができる。
【００２２】
また、逆に、駆動モータが保持用回転位置から解除用回転位置まで回転アームを回転駆動すると、係合ピンが傾斜溝部を摺動するときに係合ピンが往復移動体を解除位置側に押圧操作することになる。この押圧操作により解除位置まで往復移動体を移動操作させて、索状体の引き出し操作を許容するように回転ドラムの回転を許容する回転許容状態とすることができる。
【００２３】
このようにして、駆動モータが回転アームを回転駆動することにより、ドラム操作手段を回転許容状態と保持操作状態とに切り換えることができて、保持装置を保持状態と解除状態とに切り換えることができる。そして、ドラム操作手段は、駆動モータと係合ピンを設けた回転アームと被係合溝を設けた往復移動体とから構成することができ、構成の簡素化を図ることができる。
【００２４】
そして、保持装置を保持状態としたときには、回転アームが保持用回転位置に位置することになるので、保持状態検出手段が、回転アームが保持用回転位置に位置する状態を検出することにより保持状態を的確にかつ簡易に検出することができる。したがって、保持手段を保持状態としたことを的確にかつ簡易に確認することができる。
【００２５】
本発明にかかる車両用昇降装置の第６特徴構成は、前記保持手段が、前記車椅子に引掛け自在なフック体が先端部に設けられた索状体と、この索状体を巻き取る方向と引き出す方向とに回転自在な回転ドラムと、この回転ドラムを巻き取る方向に回転操作して前記保持状態に操作する保持操作状態と前記索状体の引き出し操作を許容するように前記回転ドラムの回転を許容する回転許容状態とに切換自在なドラム操作手段とから構成され、
前記ドラム操作手段が、前記回転許容状態に対応する解除位置と前記保持操作状態に対応する保持位置とに直線的に往復移動自在で、前記解除位置から前記保持位置への移動にて前記回転ドラムを巻き取り方向に操作して前記保持操作状態に操作しかつ前記保持位置から前記解除位置への移動にて前記回転ドラムを引き出し方向に操作したのち前記回転許容状態にする往復移動体と、この往復移動体を前記保持位置と前記解除位置との間で往復移動操作する往復操作手段とから構成され、
前記往復操作手段が、前記往復移動体を前記保持位置に移動操作する保持用回転位置と前記往復移動体を前記解除位置に移動操作する解除用回転位置とに駆動モータにて回転駆動される回転アームと、この回転アームの先端部に設けられて前記往復移動体の被係合溝に係合する係合ピンとから構成され、
前記被係合溝が、前記解除用回転位置から前記往復移動体の往復移動方向に対して傾斜する状態で延びる傾斜溝部と、この傾斜溝部に連なり前記往復移動体の往復移動方向に対して直交する状態で延びて前記保持用回転位置に至る直交溝部とから構成され、
前記駆動モータが、前記往復移動体の往復移動方向に沿って移動自在で弾性付勢手段にて前記保持位置側に付勢された状態で、かつ、前記回転アームを前記解除用回転位置から前記保持用回転位置へ回転駆動させるときに前記往復移動体の往復移動方向の前記解除位置側への被押圧力を受ける状態で設けられ、
前記保持状態検出手段が、前記駆動モータが前記往復移動体の往復移動方向の前記解除位置側に設定量以上移動している状態を前記保持状態として検出するように構成されている点にある。
【００２６】
すなわち、上記第５特徴構成で述べた如く、駆動モータが回転アームを回転駆動することにより、ドラム操作手段を回転許容状態と保持操作状態とに切り換えることができて、保持装置を保持状態と解除状態とに切り換えることができ、しかも、ドラム操作手段は構成の簡素化を図ることができる。
そして、この第６特徴構成では、駆動モータが、往復移動体の往復移動方向に沿って移動自在で弾性付勢手段にて保持位置側に付勢された状態で、かつ、回転アームを解除用回転位置から保持用回転位置へ回転駆動させるときに往復移動体の往復移動方向の解除位置側への被押圧力を受ける状態で設けられている。
説明すると、駆動モータが解除用回転位置から保持用回転位置へ回転アームを回転駆動させるときに、回転アームの先端部に設けられた係合ピンが往復移動体を保持位置側に押圧操作する。したがって、その押圧操作の反作用として、回転アームの基端部に往復移動体の往復移動方向の解除位置側への被押圧力を受ける。そして、駆動モータがこの被押圧力を受けるように設けられているので、駆動モータは、弾性付勢手段の付勢力に抗して往復移動体の往復移動方向の解除位置側へ移動することになる。
【００２７】
このように駆動モータを設けることにより、保持装置を保持状態としたときには、駆動モータが往復移動体の往復移動方向の解除位置側に設定量以上移動するので、保持状態検出手段が、駆動モータが往復移動体の往復移動方向の解除位置側に設定量以上移動している状態を検出することにより保持状態を的確にかつ簡易に検出することができる。したがって、保持手段を保持状態としたことを的確にかつ簡易に確認することができる。
【００２８】
本発明にかかる車両用昇降装置の第７特徴構成は、前記保持手段が、前記車椅子に引掛け自在なフック体が先端部に設けられた索状体と、この索状体を巻き取る方向と引き出す方向とに回転自在な回転ドラムと、この回転ドラムを巻き取る方向に回転操作して前記保持状態に操作する保持操作状態と前記索状体の引き出し操作を許容するように前記回転ドラムの回転を許容する回転許容状態とに切換自在なドラム操作手段とから構成され、
前記ドラム操作手段が、前記回転許容状態に対応する解除位置と前記保持操作状態に対応する保持位置とに直線的に往復移動自在で、前記解除位置から前記保持位置への移動にて前記回転ドラムを巻き取り方向に操作して前記保持操作状態に操作しかつ前記保持位置から前記解除位置への移動にて前記回転ドラムを引き出し方向に操作したのち前記回転許容状態にする往復移動体と、この往復移動体を前記保持位置と前記解除位置との間で往復移動操作する往復操作手段とから構成され、
前記往復操作手段が、前記往復移動体を前記保持位置に移動操作する保持用回転位置と前記往復移動体を前記解除位置に移動操作する解除用回転位置とに駆動モータにて回転駆動される回転アームと、この回転アームの先端部に設けられて前記往復移動体の被係合溝に係合する係合ピンとから構成され、
前記被係合溝が、前記解除用回転位置から前記往復移動体の往復移動方向に対して傾斜する状態で延びる傾斜溝部と、この傾斜溝部に連なり前記往復移動体の往復移動方向に対して直交する状態で延びて前記保持用回転位置に至る直交溝部とから構成され、
前記駆動モータは、前記往復移動体の往復移動方向に沿って移動自在で弾性付勢手段にて前記保持位置側に付勢された状態で、かつ、前記回転アームを前記解除用回転位置から前記保持用回転位置へ回転駆動させるときに前記往復移動体の往復移動方向の前記解除位置側への被押圧力を受ける状態で設けられ、
前記保持状態検出手段が、前記回転ドラムから前記索状体が設定量以上引き出されている状態、前記回転アームが前記保持用回転位置に位置する状態、前記駆動モータが前記往復移動体の往復移動方向の前記解除位置側に設定量以上移動している状態の三つの状態のうち、少なくとも二つの状態が満たされていると前記保持状態として検出するように構成されている点にある。
【００２９】
すなわち、上記第５特徴構成で述べた如く、駆動モータが回転アームを回転駆動することにより、ドラム操作手段を回転許容状態と保持操作状態とに切り換えることができて、保持装置を保持状態と解除状態とに切り換えることができ、しかも、ドラム操作手段は構成の簡素化を図ることができる。
そして、この第７特徴構成では、保持状態検出手段が、上記第４〜６特徴構成で述べた如く、回転ドラムから索状体が設定量以上引き出されている状態、回転アームが保持用回転位置に位置する状態、駆動モータが往復移動体の往復移動方向の解除位置側に設定量以上移動している状態の三つの状態のいずれか一つしか満たされていないと保持状態として検出せず、少なくとも二つの状態が満たされていてはじめて保持状態として検出する。
したがって、保持状態として検出する条件を厳しいものとすることができるので、保持状態であることを正確に検出することができて、載置部の昇降中に車椅子の動きを規制できるという効果を確実に発揮することができる。
【発明を実施するための最良の形態】
【００３０】
以下、本発明にかかる車両用昇降装置の実施形態を図面に基づいて説明する。
この車両用昇降装置は、図１〜図３に示すように、例えば、上下方向へ開閉する開閉扉Ｄを後部に備えたワゴン車のような車両Ｖにおいて、後部に搭載して用いられているものである。
図１は、車両用昇降装置を車両Ｖに搭載した状態での斜視図であり、図２は、車両用昇降装置を車両Ｖに搭載した状態での平面図であり、図３は、車両用昇降装置の斜視図である。
【００３１】
この車両用昇降装置は、車椅子Ｐを載置して昇降する載置部としての昇降台１、その昇降台１を支持する昇降枠２、昇降枠２を下端部に支持する左右一対の昇降アーム３、左右一対の昇降アーム３を車両Ｖ側に連結して昇降台１における横幅方向の両端部それぞれに対して支持作用する左右一対の平行四連リンク機構４などを備えて構成されている。そして、車両用昇降装置は、平行四連リンク機構４を支持する基枠７を介して車両Ｖの後部に固着可能に構成されている。
【００３２】
前記昇降台１を昇降操作するために、左右一対の平行四連リンク機構４をそれぞれ操作する左右一対の油圧シリンダ５と、図１〜図３では図示を省略しているが、左右一対の油圧シリンダ５に作動油を供給するシリンダ用電動ポンプ６とが設けられている。
そして、地面上またはその近くの下降位置と車両Ｖの床面と同じ高さまたはほぼ同じ高さの上昇位置とに昇降台１を車両Ｖに対して昇降操作自在な昇降操作手段が、油圧シリンダ５とシリンダ用電動ポンプ６とから構成されている。
前記シリンダ用電動ポンプ６は、左側の平行四連リンク機構４よりも左側に位置されて車両Ｖ上に搭載されている。そして、シリンダ用電動ポンプ６と左右の油圧シリンダ５とが、配管により接続され、かつ、その配管系に各種の切換弁やリリーフ弁などが介装されている。
【００３３】
以下、各装置や部材の詳細について説明するが、この実施形態においては、便宜上、車両Ｖの前進方向を前方、後進方向を後方と称し、後方から前方を見た状態で、左右方向を特定して説明する。
また、左右に位置する部材については、左右の勝手違いはあるものの、略同じ構成なので、左右いずれか一方のみについて説明し、左右で構成の異なる部材については、その都度説明を加える。
【００３４】
図３および図４に示すように、基枠７は、その左右両端部に上方へ突出する基枠側ブラケット８を備え、平行四連リンク機構４を構成する上リンク９と下リンク１０の一端部が、ピン１１ａ，１２ａを介して夫々基枠側ブラケット８に枢支連結されている。
また、上リンク９と下リンク１０の他端部が、昇降アーム３の上端に設けられたアーム側ブラケット１３に対し、夫々ピン１１ｂ，１２ｂを介して枢支連結されている。
これら上リンク９と下リンク１０との両リンクおよび基枠側ブラケット８とアーム側ブラケット１３とにより平行四連リンク機構４が構成されている。
【００３５】
この平行四連リンク機構４は、図１および図２に示すように、リンク用カバー１４によって覆われている。
図４は、リンク用カバー１４を取り外した状態での左側の平行四連リンク機構４を示している。この左側の平行四連リンク機構４では、下リンク１０を基枠側ブラケット８に枢支連結するピン１２ａが、下リンク１０側に固着されて、下リンク１０と一体的に回動するように構成されている。
【００３６】
左側の平行四連リンク機構４を覆うリンク用カバー１４には、その左壁面に貫通孔が設けられている。この貫通孔を貫通して、基枠側ブラケット８に対する下リンク１０の枢支用のピン１２ａがリンク用カバー１４の外側まで延設されている。
そして、基枠７には左側の機枠側ブラケット８より左外方に支持板１６が立設されている。この支持板１６にリンク用カバー１４から延設されたピン１２ａの回転に応じてパルスを出力するロータリエンコーダ１５が設けられている。
【００３７】
図５に示すように、昇降枠２は、後方側から見て上方が開放されたコの字形に形成されている。昇降枠２には、その左右の壁面から内方に向けて、横軸心周りに回転する複数のスライド用遊転ローラ１７が突設され、かつ、右側の壁面には、上下軸心周りに回転する複数のガイド用遊転ローラ２０とピニオン１８を備えたスライド用電動モータ１９とが取付けられている。
この昇降枠２に保持される昇降台１は、平面視において長方形に形成され、その左の側面には左レール部材２１が設けられ、右の側面には右レール部材２２が設けられている。左レール部分２１と右レール部分２２とは若干形状が異なっている。そして、左右の側面には外方に向けて横軸心周りに回転するレール用遊転ローラ２３がそれぞれ突設されている。
【００３８】
昇降枠２に昇降台１を取り付けた状態での縦断面図である図６および図７に示すように、左レール部材２１には昇降枠２の左側に設けられたスライド用遊転ローラ１７が内嵌されている。右レール部材２２には、昇降枠２の右側に設けられたスライド用遊転ローラ１７とガイド用遊転ローラ２０とが内嵌されている。
このようにして、複数のスライド用遊転ローラ１７によって、昇降台１が昇降枠２に対して前後方向にスライド可能に保持され、かつ、ガイド用遊転ローラ２０によって、昇降枠２に対する昇降台１の横揺れが防止されるように構成されている。
【００３９】
そして、右レール部材２２にはラック２４が内嵌する状態で固着され、そのラック２４にピニオン１８が噛合されている。図２および図７に示すように、車両Ｖ側には最前方に振動防止部材２６が設けられた左右一対のレール２５が設けられ、このレール２５上を昇降台１に設けられたレール用遊転ローラ２３が転動可能に設けられている。
このようにして、スライド用電動モータ１９の正逆回転駆動により、レール用遊転ローラ２３がレール２５上を転動することにより、昇降台１が昇降枠２に対して前後方向にスライド移動するように構成されている。
【００４０】
図３および図５に示すように、昇降枠２の前端部には、昇降台１の前端部よりも前方側へ車椅子Ｐが移動するのを受け止め阻止する板状の前受け止め体２７が設けられている。この前受け止め体２７は、ほぼ水平になる収納姿勢と上方へ揺動した起立姿勢とに回動自在に枢着されている。そして、昇降枠２に対する昇降台１の前後方向でのスライド移動により前受け止め体２７が姿勢変更されるように構成されている。
また、昇降台１の後端部には、昇降台１の後端部よりも後方側へ車椅子Ｐが移動するのを受け止め阻止する板状の後受け止め体２８が設けられている。この後受け止め体２８は、上方側に揺動させて起立させた阻止姿勢と後方側に向けて下方側に揺動させて倒伏させた許容姿勢とに回動自在に枢着されている。そして、レバーなどの操作部の人為的な揺動操作あるいは後受け止め体用電動モータ２９（図３および図５では図示を省略）の電動操作により後受け止め体２８が姿勢変更されるように構成されている。
【００４１】
前記昇降台１には、図８〜図１０に示すように、昇降台１に載置された車椅子Ｐをその昇降台１に対して位置決め保持する保持状態とその位置決め保持を解除する解除状態とに切換自在な保持手段としての保持装置Ｆが設けられている。
図８は、保持装置Ｆの平面図であり、図９は、昇降台１の一部を切り欠いた保持装置Ｆの側面図であり、図１０は、保持装置Ｆの要部を示す平面図である。
【００４２】
この保持装置Ｆは、車椅子Ｐに引掛け自在なフック体３０が先端部に設けられた索状体としてのワイヤ３１と、このワイヤ３１を巻き取る方向と引き出す方向とに回転自在な回転ドラム３２と、この回転ドラム３２を巻き取る方向に回転操作して保持状態に操作する保持操作状態とワイヤ３１の引き出し操作を許容するように回転ドラム３２の回転を許容する回転許容状態とに切換自在なドラム操作手段３３とから構成されている。
【００４３】
前記フック体３０とワイヤ３１と回転ドラム３２とを一つの組として、この組が合計四つ設けられている。そして、図９に示すように、回転ドラム３２からワイヤ３１を引き出して、フック体３０の夫々を車椅子ＰのフレームＰ１に各別に引掛けるようにしている。
【００４４】
前記回転ドラム３２は、スプリングなどの弾性体によりワイヤ３１を巻き取る方向（図８および図１０中時計回り）に付勢されている。そして、四つの回転ドラム３２が車両Ｖの前後方向に沿って一直線上に並ぶように設けられている。
また、ワイヤ３１の引き出し方向を変換する方向変換用のプーリ３４が複数設けられ、四つのワイヤ３１の夫々は、フック体３０が昇降台１よりも上方側に位置するように回転ドラム３２から引き出されている。そして、昇降台１には、フック体３０を収納可能な凹状の収納部３５が設けられ、この収納部３５にフック体３０を収納することによりフック体３０を位置決め保持している。
【００４５】
以下、図１０および図１１に基づいてドラム操作手段３３について説明を加える。図１１は、ドラム操作手段３３の動作を示す模式図である。
前記ドラム操作手段３３は、回転許容状態に対応する解除位置と保持操作状態に対応する保持位置とに直線的に往復移動自在な往復移動体３６と、この往復移動体３６を保持位置と解除位置との間で往復移動操作する往復操作手段３７とから構成されている。
そして、往復移動体３６は、解除位置から保持位置への移動にて回転ドラム３２を巻き取り方向に操作して保持操作状態に操作しかつ保持位置から解除位置への移動にて回転ドラム３２を引き出し方向に操作したのち回転許容状態にする。
図１１（イ）は、往復移動体３６が解除位置に位置するときを示しており、図１１（ロ）は、往復移動体３６が解除位置と保持位置との間に位置するときを示しており、図１１（ハ）は、往復移動体３６が保持位置に位置するときを示している。
【００４６】
前記往復操作手段３７は、往復移動体３６を保持位置に移動操作する保持用回転位置と往復移動体３６を解除位置に移動操作する解除用回転位置とに駆動モータ３８にて回転駆動される回転アーム３９と、この回転アーム３９の先端部に設けられて往復移動体３６の被係合溝４０に係合する係合ピン４１とから構成されている。
そして、駆動モータ３８は、解除用回転位置と保持用回転位置との間で回転アーム３９の先端部が円弧状の軌跡を描くべく、回転アーム３９の基端部を支点として上下軸心周りに回転アーム３９を揺動する。
図１１（イ）は、回転アーム３９が解除用回転位置に位置するときを示しており、図１１（ロ）は、回転アーム３９が解除用回転位置と保持用回転位置との間に位置するときを示しており、図１１（ハ）は、回転アーム３９が保持用回転位置に位置するときを示している。
【００４７】
前記往復移動体３６は、平面視で幅狭部分３６ａと幅広部分３６ｂとからなるＬ字状に形成されている。
前記幅狭部分３６ａには、回転ドラム３２に設けられたピニオンギア４３に噛合するラックギア４４と、固定ピン４５を摺動する長孔状の案内溝４６とが設けられている。
前記ラックギア４４は、往復移動体３６が解除位置に位置するとピニオンギア４３と噛み合わず、往復移動体３６が解除位置から保持位置側に移動するとピニオンギア４３と噛み合うように設けられている。そして、ラックギア４４は、四つの回転ドラム３２の夫々に対応するように、往復移動体３６の往復移動方向に間隔を隔てて四つ設けられている。
前記案内溝４６は、往復移動体３６の往復移動方向に間隔を隔てて二つ設けられ、固定ピン４５が摺動することにより、往復移動体３６の往復移動方向を直線的に規制するように構成されている。
【００４８】
前記幅広部分３６ｂには、被係合溝４０が形成されている。そして、この被係合溝４０が、解除用回転位置から往復移動体３６の往復移動方向に対して傾斜する状態で延びる傾斜溝部４０ａと、この傾斜溝部４０ａに連なり往復移動体３６の往復移動方向に対して直交する状態で延びて保持用回転位置に至る直交溝部４０ｂとから構成されている。
【００４９】
図１１（イ）に示すように、回転アーム３９が解除用回転位置に位置するときには、往復移動体３６が解除位置に位置する。このとき、往復移動体３６のラックギア４４と回転ドラム３２のピニオンギア４３とは噛み合わず、ワイヤ３１の引き出し操作を許容するように回転ドラム３２の回転を許容する回転許容状態となる。
この回転許容状態では、回転ドラム３２からワイヤ３１を引き出すあるいは回転ドラム３２にてワイヤ３１を巻き取ることが自由に行え、保持装置Ｆを解除状態とすることができる。この解除状態において、四つのフック体３０の夫々を回転ドラム３２から引き出して車椅子ＰのフレームＰ１に各別に引掛けることができる。
【００５０】
そして、四つのフック体３０の夫々を車椅子ＰのフレームＰ１に引掛けたのち、ドラム操作手段３３を回転許容状態から保持操作状態に切り換えるべく、駆動モータ３８を作動させて回転アーム３９を解除用回転位置から保持用回転位置まで回転駆動させる。このとき、回転アーム３９の係合ピン４１は、解除用回転位置から被係合溝４０の傾斜溝部４０ａを摺動し、傾斜溝部４０ａから直交溝部４０ｂに移行したのち、保持用回転位置まで直交溝部４０ｂを摺動する。
【００５１】
前記係合ピン４１が傾斜溝部４０ａを摺動するときには、係合ピン４１が往復移動体３６を保持位置側に押圧操作するので、図１１（イ）の矢印で示すように、この押圧操作により往復移動体３６が解除位置から保持位置側へ移動操作される。
そして、往復移動体３６が解除位置から保持位置側へ移動すると、ラックギア４４とピニオンギア４３とが噛み合う状態となり、往復移動体３６の保持位置側へ移動に伴って回転ドラム３２を巻き取る方向（図１１中時計回り）に回転操作する。そして、図１１（ロ）に示すように、係合ピン４１が傾斜溝部４０ａから直交溝部４０ｂに移行すると、係合ピン４１の押圧操作によって往復移動体３６が保持位置側へ最大限移動操作される。ちなみに、回転ドラム３２は、巻き取る方向あるいは引き出す方向に設定量以上回転操作されても、ワイヤ３１を巻き取るあるいは引き出すことなく、ピニオンギア４３のみの回転を許容する機構が備えられている。
【００５２】
図１１（ハ）に示すように、係合ピン４１が保持用回転位置に至ると、駆動モータ３９の駆動が停止される。そして、往復移動体３６が少しだけ解除位置側に移動して保持位置に位置したのち、直交溝部４０ｂが往復移動体３６の往復移動方向での係合ピン４１の動きを規制する。このように係合ピン４１の動きを規制することにより、往復移動体３６が保持位置に位置決め保持される。このようにして、保持装置Ｆを保持状態に操作する保持操作状態とすることができる。
【００５３】
また、逆に、ドラム操作手段３３を保持操作状態から回転許容状態に切り換えるときには、駆動モータ３８を作動させて回転アーム３９を保持用回転位置から解除用回転位置まで回転駆動させることにより行う。このときには、係合ピン４１が傾斜溝部４０ａを摺動するときに係合ピン４１が往復移動体３６を解除位置側に押圧操作することになる。この押圧操作により解除位置まで往復移動体３６を移動操作させて、ワイヤ３１の引き出し操作を許容するように回転ドラム３２の回転を許容する回転許容状態とすることができる。
【００５４】
このようにして、駆動モータ３８が回転アーム３９を解除用回転位置から保持用回転位置に回転駆動させることにより、保持装置Ｆを解除状態から保持状態に切り換えることができる。逆に、駆動モータ３８が回転アーム３９を保持用回転位置から解除用回転位置に回転駆動させることにより、保持装置Ｆを保持状態から解除状態に切り換えることができる。
【００５５】
そして、保持装置Ｆが保持状態であるか否かを検出する保持状態検出手段４７が設けられている。この保持状態検出手段４７は、回転ドラム３２からワイヤ３１が設定量以上引き出されている引き出し状態であるか否かを検出する引き出し状態検出スイッチ４８と、回転アーム３９が保持用回転位置に位置する保持用回転位置状態であるか否かを検出する回転アーム検出スイッチ４９と、駆動モータ３８が往復移動体３６の往復移動方向の解除位置側に設定量以上移動している駆動モータ移動状態であるか否かを検出する駆動モータ検出スイッチ５０とから構成されている。
前記保持状態検出手段４７は、引き出し状態検出スイッチ４８が引き出し状態を検出している状態、回転アーム検出スイッチ４９が保持用回転位置状態を検出している状態、駆動モータ検出スイッチ５０が駆動モータ移動状態を検出している状態という三つの状態のすべてが満たされていると保持状態して検出するように構成されている。
【００５６】
前記引き出し状態検出スイッチ４８は、図１０および図１１に示すように、回転ドラム３２からワイヤ３１を引き出している引き出し位置においてワイヤ３１の存否を検出するリミットスイッチにて構成されている。そして、引き出し状態検出スイッチ４８は、四つの回転ドラム３２の夫々に設けられている。
前記保持装置Ｆが保持状態ではないときには、フック体３０が収納部３５に収納されているなど、回転ドラム３２からワイヤ３１が設定量よりも小さい量しか引き出されていない。したがって、図１１（イ）に示すように、ワイヤ３１が引き出し状態検出スイッチ４８に接触し、引き出し状態検出スイッチ４８がＯＮとなる。
それに対して、保持装置Ｆが保持状態であるときには、フック体３０が車椅子ＰのフレームＰ１に引掛けられるなど、回転ドラム３２からワイヤ３１が設定量以上引き出されている。したがって、図１１（ハ）に示すように、回転ドラム３２の巻き取り径が小さくなり、ワイヤ３１が引き出し状態検出スイッチ４８に接触せず、引き出し状態検出スイッチ４８がＯＦＦとなる。そして、四つの引き出し状態検出スイッチ４８のすべてがＯＦＦすると引き出し状態として検出する。
【００５７】
前記回転アーム検出スイッチ４９は、保持用回転位置において回転アーム３９の存否を検出するリミットスイッチにて構成されている。
前記保持装置Ｆが保持状態ではないときには、図１１（イ）に示すように、回転アーム３９が解除用回転位置に位置する、あるいは、図１１（ロ）に示すように、回転アーム３９が解除用回転位置と保持用回転位置との間に位置する。したがって、回転アーム３９が回転アーム検出スイッチ４９に接触せず、回転アーム検出スイッチ４９がＯＦＦとなる。
それに対して、保持装置Ｆが保持状態であるときには、図１１（ハ）に示すように、回転アーム３９が保持用回転位置に位置する。したがって、回転アーム３９が回転アーム検出スイッチ４９に接触し、回転アーム検出スイッチ４９がＯＮとなる。
【００５８】
前記駆動モータ検出スイッチ５０は、駆動モータ３８の設置位置から往復移動体３６の往復移動方向の解除位置側に設定量以上移動した位置において、駆動モータ３８の存否を検出するリミットスイッチにて構成されている。
【００５９】
前記駆動モータ３８は、往復移動体３６の往復移動方向に沿って移動自在で弾性付勢手段としてのコイルスプリング４２にて保持位置側に付勢された状態で、かつ、回転アーム３９を解除用回転位置から保持用回転位置へ回転駆動させるときに往復移動体３６の往復移動方向の解除位置側への被押圧力を受ける状態で設けられている。
説明を加えると、駆動モータ３８が解除用回転位置から保持用回転位置へ回転アーム３９を回転駆動させるときに、回転アーム３９の先端部に設けられた係合ピン４１が往復移動体３６を保持位置側に押圧操作する。したがって、その押圧操作の反作用として、回転アーム３９の基端部に往復移動体３６の往復移動方向の解除位置側への被押圧力を受ける。そして、駆動モータ３８がこの被押圧力を受けるように設けられているので、駆動モータ３８は、コイルスプリング４２の付勢力に抗して往復移動体３６の往復移動方向の解除位置側へ移動することになる。
【００６０】
このように駆動モータ３８を設けることにより、保持装置Ｆが保持状態ではないときには、図１１（イ）に示すように、駆動モータ３８が往復移動体３６の往復移動方向の解除位置側に設定量よりも小さい量しか移動していない。したがって、駆動モータ３８が駆動モータ検出スイッチ５０に接触せず、駆動モータ検出スイッチ５０がＯＦＦとなる。
それに対して、保持装置Ｆが保持状態であるときには、図１１（ハ）に示すように、駆動モータ３８が往復移動体３６の往復移動方向の解除位置側に設定量以上移動する。したがって、駆動モータ３８が駆動モータ検出スイッチ５０に接触し、駆動モータ検出スイッチ５０がＯＮとなる。
【００６１】
前記昇降台１には、図８に示すように、この昇降台１に車椅子Ｐが載置されている載置状態か否かを検出する車椅子検出手段としての車椅子検出センサ５１が設けられている。この車椅子検出センサ５１は、投受光式の光電センサにて構成され、投光部５１ａから投光される光を受光部５１ｂにて受光するか否かにより、載置状態であるか否かを検出する。
【００６２】
また、昇降台１には、図１および図３に示すように、昇降台１に載置された車椅子Ｐに着座する搭乗者をその車椅子Ｐに保持させるシートベルト装置５２と、そのシートベルト装置５２が装着状態であるか否かを検出するベルト装着状態検出手段としてのベルトスイッチ５３とが設けられている。
前記昇降台１の昇降台１の右側部には支柱５４が立設され、この支柱５４の上端部にシートベルト装置５２のリトラクタ５２ａが設けられている。そして、支柱５４には手摺り５５も設けられている。
前記昇降台１の左側部には、シートベルト装置５２のバックル５２ｂが設けられ、このバックル５２ｂにベルトスイッチ５３が設けられている。
【００６３】
このような構成からなる車両用昇降装置は、図１２に示すように、制御手段としての制御装置Ｈによりシリンダ用電動モータ６、スライド用電動モータ１９、後受け止め体用電動モータ２９、駆動モータ３８などの作動が全て制御されるように構成されている。制御装置Ｈには、ロータリエンコーダ１５の検出情報、手動式のペンダント式操作具５６からの各種の指令、引き出し状態検出スイッチ４８の検出情報、回転アーム検出スイッチ４９の検出情報、駆動モータ検出スイッチ５０の検出情報、車椅子検出センサ５１の検出情報、ベルトスイッチ５３の検出情報、その他各種のセンサの検出情報が入力されるように構成されている。
そして、制御装置Ｈは、入力される各種の情報や指令に基づいて、シリンダ用電動モータ６、スライド用電動モータ１９、後受け止め体用電動モータ２９、駆動モータ３８の作動を制御する。
【００６４】
前記ペンダント式操作具５６は、図３に示すように、左側の昇降アーム３に装着自在に設けられている。そして、図１２に示すように、ペンダント式操作具５６には、昇降台１を上昇させる上昇指令を指令する上昇ボタン５６ａ、昇降台１を下降させる下降指令を指令する下降ボタン５６ｂ、後受け止め体２８を阻止姿勢から許容姿勢に切り換える開き指令を指令する開きボタン５６ｃ、保持装置Ｆを解除状態から保持状態に切り換える保持指令を指令する保持ボタン５６ｄ、保持装置Ｆを保持状態から解除状態に切り換える解除指令を指令する解除ボタン５６ｅなどの各種ボタンが設けられている。
【００６５】
以下、制御装置Ｈによる車両用昇降装置の作動について図１３に基づいて説明する。
図１３（イ）は、地面Ｇ上またはその近くの下降位置に昇降台１が位置するときを示しており、図１３（ロ）は、車両Ｖの床面と同じ高さまたはほぼ同じ高さの上昇位置に昇降台１が位置するときを示しており、図１３（ハ）は、車両Ｖの内部に格納される格納位置に昇降台１が位置するときを示している。
【００６６】
まず、車椅子Ｃを地面Ｇ上から車両Ｖ内に移載する場合について説明する。
図１３（イ）に示すように、昇降台１が下降位置に位置しかつ後受け止め体２８が許容姿勢である状態で、車椅子Ｐを昇降台１に載置させる。そして、シートベルト装置５２を装着状態とするとともに、保持装置Ｆのワイヤ３１を回転ドラム３２から引き出してフック体３０を車椅子ＰのフレームＰ１に引掛ける。
このフック体３０を車椅子ＰのフレームＰ１に引掛けた状態で、ペンダント式操作具５６の保持ボタン５６ｄを押し操作することにより保持指令を指令する。すると、制御装置Ｈは、保持装置Ｆを保持状態に切り換えるべく、駆動モータ３８を作動させる。すなわち、制御装置Ｈは、駆動モータ３８を作動させて回転アーム３９を解除用回転位置から保持用回転位置まで回転駆動させることにより、保持装置Ｆを保持状態に切り換える。
その後、ペンダント式操作具５６の上昇ボタン５６ａを押し操作することにより昇降指令としての上昇指令を指令する。すると、まず、制御装置Ｈは、後受け止め体２８を許容姿勢から阻止姿勢に切り換えるべく、後受け止め体用電動モータ２９を作動させる後受け止め体開閉制御を実行する。次に、制御装置Ｈは、図１３（イ）に示す下降位置から図１３（ロ）に示す上昇位置へ昇降台１を上昇移動させたのち、図１３（ハ）に示す格納位置まで昇降台１をスライド移動させるべく、シリンダ用電動モータ６およびスライド用電動モータ１９を作動させる昇降制御としての上昇制御を実行する。
【００６７】
次に、車椅子Ｃを車両Ｖ内から地面Ｇ上に移載する場合について説明するが、このときには、シートベルト装置５２が装着状態となっており、かつ、保持装置Ｆが保持状態となっているものとして説明する。
図１３（ハ）に示すように、昇降台１が格納位置に位置する状態で、ペンダント式操作具５６の下降ボタン５６ｂを押し操作することにより昇降指令としての下降指令を指令する。すると、制御装置Ｈは、図１３（ハ）に示す格納位置から図１３（ロ）に示す上昇位置へ昇降台１をスライド移動させたのち、図１３（イ）に示す下降位置まで昇降台１を下降移動させるべく、シリンダ用電動モータ６およびスライド用電動モータ１９を作動させる昇降制御としての下降制御を実行する。
その後、ペンダント式操作具５６の開きボタン５６ｃを押し操作することにより開き指令を指令する。すると、制御装置Ｈは、後受け止め体２８を阻止姿勢から許容姿勢に切り換えるべく、後受け止め体用電動モータ２９を作動させる後受け止め体開閉制御を実行する。
そして、ペンダント式操作具５６の解除ボタン５６ｅを押し操作することにより解除指令を指令する。すると、制御装置Ｈは、保持装置Ｆを解除状態に切り換えるように駆動モータ３８を作動させる。すなわち、制御装置Ｈは、駆動モータ３８を作動させて回転アーム３９を保持用回転位置から解除用回転位置まで回転駆動させることにより、保持装置Ｆを解除状態に切り換える。
このようにして、図１３（イ）に示すように、下降位置に昇降台１を位置させた状態で、後受け止め体２８を許容姿勢としかつ保持装置Ｆを解除状態とすることにより、車椅子Ｐを昇降台１から地面Ｇに移動させることができる。
【００６８】
前記制御装置Ｈは、基本的には、上昇ボタン５６ａや下降ボタン５６ｂによる昇降指令に基づいて、上昇制御あるいは下降制御の昇降制御を実行するわけであるが、制御装置Ｈは、保持状態検出手段４７の検出情報、車椅子検出センサ５１の検出情報、ベルトスイッチ５３の検出情報に基づいて、昇降制御を実行するときと昇降制御を実行しないときとを区別するように構成されている。
【００６９】
前記制御装置Ｈは、車椅子検出センサ５１が載置状態を検出しているときには、保持状態検出手段４７が保持状態を検出しおよびベルトスイッチ５３が装着状態を検出していると、昇降指令に基づいて昇降制御を実行し、かつ、保持状態検出手段４７が保持状態を検出していないあるいはベルトスイッチ５３が装着状態を検出していないと、昇降指令に拘わらず昇降制御を実行しないように構成されている。
また、制御装置Ｈは、車椅子検出センサ５１にて載置状態を検出していないときには、保持状態検出手段４７が保持状態を検出していないおよびベルトスイッチ５３が装着状態を検出していなくても、昇降指令に基づいて昇降制御を実行するように構成されている。
前記保持状態検出手段４７が保持状態を検出しているときとは、上述の如く、引き出し状態検出スイッチ４８が引き出し状態を検出している状態、回転アーム検出スイッチ４９が保持用回転位置状態を検出している状態、駆動モータ検出スイッチ５０が駆動モータ移動状態を検出している状態という三つの状態のすべてが満たされているときである。
【００７０】
図１４のフローチャートに基づいて説明すると、制御装置Ｈは、昇降指令があると、車椅子検出センサ５１が載置状態を検出しているか否かを判別し、載置状態でなければ昇降制御を実行する（ステップ１，２）。
また、制御装置Ｈは、載置状態であるときには、保持状態検出手段４７が保持状態を検出しておりかつベルトスイッチ５３が装着状態を検出していると昇降制御を実行する（ステップ３〜５）。
そして、制御装置Ｈは、保持状態検出手段４７が保持状態を検出していないと昇降制御を実行不可とし、ベルトスイッチ５３が装着状態を検出していないと昇降制御を実行不可とする（ステップ６）。
ちなみに、制御装置Ｈが昇降制御を実行不可とするときには、図示は省略するが、例えば、ペンダント式操作具５６の表示部や異常ランプなどにより、保持状態検出手段４７が保持状態を検出していない状態であるか、ベルトスイッチ５３が装着状態を検出していない状態であるかを報知するようにしてもよい。
【００７１】
〔別実施形態〕
（１）上記実施形態では、引き出し状態検出スイッチ４８が引き出し状態を検出している状態、回転アーム検出スイッチ４９が保持用回転位置状態を検出している状態、駆動モータ検出スイッチ５０が駆動モータ移動状態を検出している状態という三つの状態のすべてが満たされていると、保持状態検出手段４７が保持状態と検出しているが、上記三つの状態のうち、少なくとも二つが満たされていると、保持状態検出手段４７が保持状態と検出するように構成することができる。
【００７２】
（２）上記実施形態では、シートベルト装置５２とベルトスイッチ５３とを設けているが、このシートベルト装置５２とベルトスイッチ５３とを設けなくてもよい。
シートベルト装置５２とベルトスイッチ５３とを設けない場合には、制御装置Ｈは、車椅子検出センサ５１が載置状態を検出しているときには、保持状態検出手段４７が保持状態を検出していると昇降指令に基づいて昇降制御を実行しかつ保持状態検出手段４７が保持状態を検出していないと昇降指令に拘わらず昇降制御を実行しないように構成され、かつ、車椅子検出センサ５１にて載置状態を検出していないときには、保持状態検出手段４７が保持状態を検出していなくても、昇降指令に基づいて昇降制御を実行するように構成する。
【００７３】
（３）上記実施形態では、車椅子検出センサ５１として、投受光式のセンサを例示したが、例えば、マットセンサなど各種のセンサが適応可能である。また、このような車椅子検出センサ５１に代えて、例えば、介護者などによる入力操作により昇降台１に車椅子Ｐが載置されている載置状態であることを制御装置Ｈに入力するようにしてもよい。
【００７４】
（４）上記実施形態では、制御装置Ｈに対して、昇降台１に車椅子Ｐが載置されている載置状態であることを入力するようにしているが、このような入力を行わずに実施することも可能である。
この場合、制御装置Ｈは、保持状態検出手段４７が保持状態を検出しおよびベルトスイッチ５３が装着状態を検出していると、昇降指令に基づいて昇降制御を実行し、かつ、保持状態検出手段４７が保持状態を検出していないあるいはベルトスイッチ５３が装着状態を検出していないと、昇降指令に拘わらず昇降制御を実行しないように構成する。
【００７５】
また、シートベルト装置５２とベルトスイッチ５３とを設けない場合には、制御装置Ｈは、保持状態検出手段４７が保持状態を検出していると昇降指令に基づいて昇降制御を実行しかつ保持状態検出手段４７が保持状態を検出していないと昇降指令に拘わらず昇降制御を実行しないように構成する。
【００７６】
（５）上記実施形態では、ドラム操作手段３３が、往復移動体３６と、駆動モータ３８にて回転駆動される回転アーム３９と被係合溝４０に係合する係合ピン４１とからなる往復操作手段３７とから構成されている、ドラム操作手段３３は、このような構成に限らず、その他の構成を適応することも可能である。
【００７７】
（６）上記実施形態では、回転アーム３９を回転駆動する駆動モータ３８を設けているが、この駆動モータ３８に加えてあるいは駆動モータ３８に代えて、回転アーム３９を回転操作自在な人為操作式の操作レバーを設けることが可能である。
【００７８】
（７）上記実施形態では、平行四連リンク機構４を駆動操作する昇降駆動手段として、油圧シリンダ５、シリンダ用電動モータ６を用いた例を示したが、シリンダ以外にも、例えば、ねじ棒とナット部材とを使用し、そのねじ棒またはナット部材を電動モータで正逆回転駆動させることにより、平行四連リンク機構４を駆動操作することもでき、さらに、上述したねじ棒またはナット部材を手動操作による人為力で正逆回転駆動させて平行四連リンク機構４を駆動操作するように構成することもできる。
【００７９】
（８）上記実施形態では、車両Ｖの一例としてワゴン車を示し、そのワゴン車の後部に昇降装置を装着した例を示したが、車両Ｖとしては、ワゴン車以外にも、普通乗用車、バス、トラックなど、種々の車両に適用することができる。また、その装着箇所についても、車両Ｖの後部に限ることはなく、車両Ｖの前後方向の中間部などに装着して、昇降台１を車両Ｖの横側方の外側に下降させるように構成して実施することもできる。
【図面の簡単な説明】
【００８０】
【図１】車両用昇降装置の斜視図
【図２】車両用昇降装置の平面図
【図３】車両用昇降装置の斜視図
【図４】車両用昇降装置の要部を示す斜視図
【図５】車両用昇降装置の分解斜視図
【図６】車両用昇降装置の縦断面背面図
【図７】車両用昇降装置の縦断面背面図
【図８】昇降台の平面図
【図９】昇降台の一部を切り欠いた側面図
【図１０】保持装置の要部の平面図
【図１１】保持装置の要部の平面図
【図１２】車両用昇降装置の制御ブロック図
【図１３】車両用昇降装置の動作を示す図
【図１４】制御装置の動作を示すフローチャート
【符号の説明】
【００８１】
１          載置部
５，６      昇降操作手段
３０        フック体
３１        索状体
３２        回転ドラム
３３        ドラム操作手段
３６        往復移動体
３７        往復操作手段
３８        駆動モータ
３９        回転アーム
４０        被係合溝
４０ａ      傾斜溝部
４０ｂ      直交溝部
４１        係合ピン
４７        保持状態検出手段
５１        車椅子検出手段
５２        シートベルト装置
５３        ベルト装着状態検出手段
Ｆ          保持手段
Ｈ          制御手段
Ｐ          車椅子
Ｖ          車両
【図１】
2006304866.tif 000003
【図２】
2006304866.tif 000004
【図３】
2006304866.tif 000005
【図４】
2006304866.tif 000006
【図５】
2006304866.tif 000007
【図６】
2006304866.tif 000008
【図７】
2006304866.tif 000009
【図８】
2006304866.tif 000010
【図９】
2006304866.tif 000011
【図１０】
2006304866.tif 000012
【図１１】
2006304866.tif 000013
【図１２】
2006304866.tif 000014
【図１３】
2006304866.tif 000015
【図１４】
2006304866.tif 000016